(57)【特許請求の範囲】
【請求項１】
光を射出する放電灯と、
前記放電灯から射出された光を所定方向へ反射する反射鏡と、
前記放電灯に駆動電流を供給する放電灯駆動部と、
前記放電灯駆動部を制御する制御部と、
所定の操作を受け付ける入力受付部と、
前記放電灯からの光を画像信号に応じて変調する光変調装置と、
前記光変調装置により変調された光を投射する投射光学装置と、
を備えるプロジェクターであって、
前記放電灯は、内部に放電空間を有する放電灯本体と、前記放電空間に突出する第１電極および第２電極と、を有し、
前記反射鏡は、前記放電灯本体の第１端部に取り付けられ、
前記第１電極は、前記第１端部側に配置され、
前記第２電極は、前記第１端部と反対の前記放電灯本体の第２端部側に配置され、
前記駆動電流は、前記放電灯に交流電流が供給される第１交流期間および第２交流期間を有し、
前記第１交流期間および前記第２交流期間は、前記第１電極が陽極となる第１極性期間と、前記第２電極が陽極となる第２極性期間と、を交互に含み、
前記制御部は、前記入力受付部が前記プロジェクターの動作停止操作を受け付けた場合に、前記駆動電流において前記放電灯に交流電流が供給される期間を前記第１交流期間から前記第２交流期間に移行させ、
前記第２交流期間における前記第２極性期間の前記駆動電流の絶対値は、前記第１交流期間における前記第２極性期間の前記駆動電流の絶対値よりも大きいことを特徴とするプロジェクター。
【請求項２】
前記第２交流期間の長さは、５．０ｍｓ以上、１０ｓ以下である、請求項１に記載のプロジェクター。
【請求項３】
前記第２交流期間における前記第２極性期間の前記駆動電流の絶対値は、前記放電灯に定格電力が供給されたときの前記駆動電流の絶対値の０．８倍以上、１．２５倍以下である、請求項１または２に記載のプロジェクター。
【請求項４】
前記動作停止操作は、第１停止操作と、前記第１停止操作よりも時間的に後に行われる第２停止操作と、を含み、
前記第２交流期間は、前記第１停止操作から前記第２停止操作までの間の少なくとも一部の期間に設けられる、請求項１から３のいずれか一項に記載のプロジェクター。
【請求項５】
前記制御部は、前記入力受付部が前記第１停止操作を受け付けた場合に、前記プロジェクターの動作停止の要否を確認する確認動作を実行する、請求項４に記載のプロジェクター。
【請求項６】
前記制御部は、前記入力受付部が前記第２停止操作を受け付けた場合に、前記放電灯への前記駆動電流の供給を停止するように前記放電灯駆動部を制御する、請求項４または５に記載のプロジェクター。
【請求項７】
前記放電灯を冷却可能な冷却部を備え、
前記制御部は、
前記第１交流期間において、前記放電灯に供給される駆動電力に応じて設定されている第１出力で前記冷却部を駆動し、
前記第２交流期間の少なくとも一部の期間において、前記第１出力よりも大きい第２出力で前記冷却部を駆動する、請求項１から６のいずれか一項に記載のプロジェクター。
【請求項８】
前記反射鏡を冷却可能な冷却部を備え、
前記制御部は、
前記第１交流期間において、前記放電灯に供給される駆動電力に応じて設定されている第１出力で前記冷却部を駆動し、
前記第２交流期間の少なくとも一部の期間において、前記第１出力よりも大きい第２出力で前記冷却部を駆動する、請求項１から７のいずれか一項に記載のプロジェクター。
【請求項９】
前記第２交流期間における前記第１極性期間の前記駆動電流の絶対値は、前記第１交流期間における前記第１極性期間の前記駆動電流の絶対値よりも小さい、請求項１から８のいずれか一項に記載のプロジェクター。
【請求項１０】
前記第２交流期間において前記放電灯に供給される駆動電力の平均値は、前記第１交流期間において前記放電灯に供給される駆動電力の値と同じである、請求項９に記載のプロジェクター。
【請求項１１】
前記第２交流期間における前記駆動電流の周波数は、前記第１交流期間における前記駆動電流の周波数よりも大きい、請求項１から１０のいずれか一項に記載のプロジェクター。
【請求項１２】
光を射出する放電灯と、前記放電灯から射出された光を所定方向へ反射する反射鏡と、所定の操作を受け付ける入力受付部と、を備えるプロジェクターの制御方法であって、
前記放電灯は、内部に放電空間を有する放電灯本体と、前記放電空間に突出する第１電極および第２電極と、を有し、
前記反射鏡は、前記放電灯本体の第１端部に取り付けられ、
前記第１電極は、前記第１端部側に配置され、
前記第２電極は、前記第１端部と反対の前記放電灯本体の第２端部側に配置され、
前記放電灯に駆動電流として交流電流が供給される第１交流期間および第２交流期間を有し、
前記第１交流期間および前記第２交流期間は、前記第１電極が陽極となる第１極性期間と、前記第２電極が陽極となる第２極性期間と、を交互に含み、
前記入力受付部が前記プロジェクターの動作停止操作を受け付けた場合に、前記放電灯に交流電流が供給される期間を前記第１交流期間から前記第２交流期間に移行させることと、
前記第２交流期間における前記第２極性期間の前記駆動電流の絶対値を、前記第１交流期間における前記第２極性期間の前記駆動電流の絶対値よりも大きくすることと、
を含むことを特徴とするプロジェクターの制御方法。
【発明の詳細な説明】
【技術分野】
【０００１】
本発明は、プロジェクターおよびプロジェクターの制御方法に関する。
【背景技術】
【０００２】
プロジェクターの動作を停止させると、プロジェクターが備える放電灯内の温度が低下するため、放電灯内に封入されている水銀が凝縮して、放電灯の内壁や電極に付着する場合がある。このとき、水銀によって電極同士が接続される水銀ブリッジが生じる場合があった。水銀ブリッジが生じると、電極間が短絡するため、放電灯を点灯できなくなる。
【０００３】
これに対して、例えば、特許文献１には、水銀ブリッジの防止を目的として、放電灯が点灯状態から消灯に移る過渡状態において、電極に供給するランプ電力をアーク放電が消滅しない程度まで低減させ、発光管部を水銀が凝結する程度に冷却する方法が記載されている。
【先行技術文献】
【特許文献】
【０００４】
【特許文献１】特許第４０７０４２０号公報
【発明の概要】
【発明が解決しようとする課題】
【０００５】
しかし、上記のような方法においては、発光管部を水銀が凝縮（凝結）する程度にまで冷却するのに時間が掛かる問題があった。そのため、使用者がプロジェクターの動作停止操作を行っても、しばらくの間プロジェクターは低電力で点灯し続けることとなり、プロジェクターの利便性が低下する問題があった。
【０００６】
本発明の一つの態様は、上記問題点に鑑みて成されたものであって、水銀ブリッジを抑制でき、かつ、利便性が低下することを抑制できる構成を有するプロジェクターおよびそのようなプロジェクターの制御方法を提供することを目的の一つとする。
【課題を解決するための手段】
【０００７】
本発明のプロジェクターの一つの態様は、光を射出する放電灯と、前記放電灯から射出された光を所定方向へ反射する反射鏡と、前記放電灯に駆動電流を供給する放電灯駆動部と、前記放電灯駆動部を制御する制御部と、所定の操作を受け付ける入力受付部と、前記放電灯からの光を画像信号に応じて変調する光変調装置と、前記光変調装置により変調された光を投射する投射光学装置と、を備えるプロジェクターであって、前記放電灯は、内部に放電空間を有する放電灯本体と、前記放電空間に突出する第１電極および第２電極と、を有し、前記反射鏡は、前記放電灯本体の第１端部に取り付けられ、前記第１電極は、前記第１端部側に配置され、前記第２電極は、前記第１端部と反対の前記放電灯本体の第２端部側に配置され、前記駆動電流は、前記放電灯に交流電流が供給される第１交流期間および第２交流期間を有し、前記第１交流期間および前記第２交流期間は、前記第１電極が陽極となる第１極性期間と、前記第２電極が陽極となる第２極性期間と、を交互に含み、前記制御部は、前記入力受付部が前記プロジェクターの動作停止操作を受け付けた場合に、前記駆動電流において前記放電灯に交流電流が供給される期間を前記第１交流期間から前記第２交流期間に移行させ、前記第２交流期間における前記第２極性期間の前記駆動電流の絶対値は、前記第１交流期間における前記第２極性期間の前記駆動電流の絶対値よりも大きいことを特徴とする。
【０００８】
本発明のプロジェクターの一つの態様によれば、第２交流期間における第２極性期間の駆動電流の絶対値は、第１交流期間における第２極性期間の駆動電流の絶対値よりも大きい。そのため、第２交流期間において第２電極を加熱し、第２電極の温度を高くすることができる。これにより、放電灯が消灯した後、第２電極の温度が放電灯本体の温度より低くなるまでの時間を長くすることができる。その結果、第２電極の温度が放電灯本体の温度より低くなる前に、放電灯本体の温度が水銀の沸点よりも低くなりやすい。したがって、水銀が放電灯本体の内壁に凝縮しやすく、水銀ブリッジが生じることを抑制できる。
【０００９】
また、第２交流期間において第２極性期間の駆動電流の絶対値を大きくすると、比較的短い時間で、第２電極の温度を高くすることができる。したがって、入力受付部が動作停止操作を受け付けてから、比較的短い時間で放電灯を消灯することができる。これにより、プロジェクターの利便性が低下することを抑制できる。
以上により、本発明のプロジェクターの一つの態様によれば、水銀ブリッジを抑制でき、かつ、利便性が低下することを抑制できる構成を有するプロジェクターが得られる。
【００１０】
前記第２交流期間の長さは、５．０ｍｓ以上、１０ｓ以下である構成としてもよい。
この構成によれば、第２交流期間において第２電極を適切に加熱しつつ、かつ、プロジェクターの利便性が低下することを抑制できる。
【００１１】
前記第２交流期間における前記第２極性期間の前記駆動電流の絶対値は、前記放電灯に定格電力が供給されたときの前記駆動電流の絶対値の０．８倍以上、１．２５倍以下である構成としてもよい。
この構成によれば、第２電極を短い時間で適切に加熱しやすい。
【００１２】
前記動作停止操作は、第１停止操作と、前記第１停止操作よりも時間的に後に行われる第２停止操作と、を含み、前記第２交流期間は、前記第１停止操作から前記第２停止操作までの間の少なくとも一部の期間に設けられる構成としてもよい。
この構成によれば、使用者が第２停止操作を行った直後にプロジェクターの動作を停止できるため、プロジェクターの利便性が低下することをより抑制できる。
【００１３】
前記制御部は、前記入力受付部が前記第１停止操作を受け付けた場合に、前記プロジェクターの動作停止の要否を確認する確認動作を実行する構成としてもよい。
この構成によれば、使用者が誤ってプロジェクターの動作を停止することを抑制できる。
【００１４】
前記制御部は、前記入力受付部が前記第２停止操作を受け付けた場合に、前記放電灯への前記駆動電流の供給を停止するように前記放電灯駆動部を制御する構成としてもよい。
この構成によれば、プロジェクターの利便性が低下することを抑制できる。
【００１５】
前記放電灯を冷却可能な冷却部を備え、前記制御部は、前記第１交流期間において、前記放電灯に供給される駆動電力に応じて設定されている第１出力で前記冷却部を駆動し、前記第２交流期間の少なくとも一部の期間において、前記第１出力よりも大きい第２出力で前記冷却部を駆動する構成としてもよい。
この構成によれば、水銀ブリッジが生じることをより抑制できる。
【００１６】
前記反射鏡を冷却可能な冷却部を備え、前記制御部は、前記第１交流期間において、前記放電灯に供給される駆動電力に応じて設定されている第１出力で前記冷却部を駆動し、前記第２交流期間の少なくとも一部の期間において、前記第１出力よりも大きい第２出力で前記冷却部を駆動する構成としてもよい。
この構成によれば、水銀ブリッジが生じることをより抑制できる。
【００１７】
前記第２交流期間における前記第１極性期間の前記駆動電流の絶対値は、前記第１交流期間における前記第１極性期間の前記駆動電流の絶対値よりも小さい構成としてもよい。
この構成によれば、第１電極および第２電極のうち第２電極のみの温度を高くすることができるとともに、第１交流期間における平均電力量に対し第２交流期間における平均電力量の増加を抑えることができるため、放電灯のちらつきが生じることを抑制できる。
【００１８】
前記第２交流期間において前記放電灯に供給される駆動電力の平均値は、前記第１交流期間において前記放電灯に供給される駆動電力の値と同じである構成としてもよい。
この構成によれば、放電灯のちらつきが生じることを抑制できる。
【００１９】
前記第２交流期間における前記駆動電流の周波数は、前記第１交流期間における前記駆動電流の周波数よりも大きい構成としてもよい。
この構成によれば、第２交流期間の駆動電流の１周期における第２極性期間の長さを、第１交流期間の駆動電流の１周期における第２極性期間の長さよりも小さくすることができる。そのため、第２交流期間における駆動電流の絶対値の増加によって第２電極の先端の突起が大きく溶融されて変形することを抑制できる。これにより、第２交流期間において安定的に第２電極の温度を上昇させやすい。
【００２０】
本発明のプロジェクターの制御方法は、光を射出する放電灯と、前記放電灯から射出された光を所定の方向へ反射する反射鏡と、所定の操作を受け付ける入力受付部と、を備えるプロジェクターの制御方法であって、前記放電灯は、内部に放電空間を有する放電灯本体と、前記放電空間に突出する第１電極および第２電極と、を有し、前記反射鏡は、前記放電灯本体の第１端部に取り付けられ、前記第１電極は、前記第１端部側に配置され、前記第２電極は、前記第１端部と反対の前記放電灯本体の第２端部側に配置され、前記放電灯に駆動電流として交流電流が供給される第１交流期間および第２交流期間を有し、前記第１交流期間および前記第２交流期間は、前記第１電極が陽極となる第１極性期間と、前記第２電極が陽極となる第２極性期間と、を交互に含み、前記入力受付部が前記プロジェクター動作操作を受け付けた場合に、前記放電灯に交流電流が供給される期間を前記第１交流期間から前記第２交流期間に移行させることと、前記第２交流期間における前記第２極性期間の前記駆動電流の絶対値を、前記第１交流期間における前記第２極性期間の前記駆動電流の絶対値よりも大きくすることと、を含むことを特徴とする。
【００２１】
本発明のプロジェクターの制御方法によれば、上記と同様にして、水銀ブリッジを抑制でき、かつ、利便性が低下することを抑制できる構成を有するプロジェクターが得られる。
【図面の簡単な説明】
【００２２】
【図１】第１実施形態のプロジェクターの概略構成図である。
【図２】第１実施形態の光源装置の構成を示す断面図である。
【図３】第１実施形態の放電灯の部分拡大断面図である。
【図４】第１実施形態の放電灯点灯装置および制御装置の回路図である。
【図５】第１実施形態の制御装置の一構成例を示すブロック図である。
【図６】第１実施形態のプロジェクターの各種構成要素を示すブロック図である。
【図７】放電灯の電極先端の突起の様子を示す図である。
【図８】第１実施形態の駆動電流波形の一例を示すグラフである。
【図９】第１実施形態の第２電極および放電灯本体の温度変化を示すグラフである。
【図１０】第２実施形態の駆動電流波形の一例を示すグラフである。
【図１１】水銀ブリッジについて説明するための説明図である。
【図１２】水銀ブリッジについて説明するための説明図である。
【発明を実施するための形態】
【００２３】
以下、図面を参照しながら、本発明の実施形態に係るプロジェクターについて説明する。
なお、本発明の範囲は、以下の実施の形態に限定されるものではなく、本発明の技術的思想の範囲内で任意に変更可能である。また、以下の図面においては、各構成をわかりやすくするために、実際の構造と各構造における縮尺や数等を異ならせる場合がある。
【００２４】
＜第１実施形態＞
図１に示すように、本実施形態のプロジェクター５００は、光源装置２００と、平行化レンズ３０５と、照明光学系３１０と、色分離光学系３２０と、３つの液晶ライトバルブ（光変調装置）３３０Ｒ，３３０Ｇ，３３０Ｂと、クロスダイクロイックプリズム３４０と、投射光学系（投射光学装置）３５０と、を備える。
【００２５】
光源装置２００から射出された光は、平行化レンズ３０５を通過して照明光学系３１０に入射する。平行化レンズ３０５は、光源装置２００からの光を平行化する。
【００２６】
照明光学系３１０は、光源装置２００から射出される光の照度を、液晶ライトバルブ３３０Ｒ，３３０Ｇ，３３０Ｂ上において均一化するように調整する。さらに、照明光学系３１０は、光源装置２００から射出される光の偏光方向を一方向に揃える。その理由は、光源装置２００から射出される光を液晶ライトバルブ３３０Ｒ，３３０Ｇ，３３０Ｂで有効に利用するためである。
【００２７】
照度分布と偏光方向とが調整された光は、色分離光学系３２０に入射する。色分離光学系３２０は、入射光を赤色光（Ｒ）、緑色光（Ｇ）、青色光（Ｂ）の３つの色光に分離する。３つの色光は、各色光に対応付けられた液晶ライトバルブ３３０Ｒ，３３０Ｇ，３３０Ｂにより、映像信号に応じてそれぞれ変調される。液晶ライトバルブ３３０Ｒ，３３０Ｇ，３３０Ｂは、後述する液晶パネル５６０Ｒ，５６０Ｇ，５６０Ｂと、偏光板（図示せず）と、を有する。偏光板は、液晶パネル５６０Ｒ，５６０Ｇ，５６０Ｂのそれぞれの光入射側および光射出側に配置される。
【００２８】
変調された３つの色光は、クロスダイクロイックプリズム３４０により合成される。合成光は投射光学系３５０に入射する。投射光学系３５０は、入射光をスクリーン７００（図６参照）に投射する。これにより、スクリーン７００上に映像が表示される。なお、平行化レンズ３０５、照明光学系３１０、色分離光学系３２０、クロスダイクロイックプリズム３４０、投射光学系３５０の各々の構成としては、周知の構成を採用することができる。
【００２９】
光源装置２００は、光源ユニット２１０と、放電灯点灯装置１０と、制御装置（制御部）４０と、入力受付部４５と、冷却装置（冷却部）５０と、を有する。
図２は、光源装置２００の構成を示す断面図である。図２には、光源ユニット２１０の断面図が示されている。図２においては、制御装置４０と冷却装置５０との図示を省略している。
【００３０】
（光源ユニット）
光源ユニット２１０は、図２に示すように、放電灯９０と、主反射鏡（反射鏡）１１２と、副反射鏡１１３と、を有する。
放電灯点灯装置１０は、放電灯９０に駆動電流Ｉを供給して放電灯９０を点灯させる。主反射鏡１１２は、放電灯９０から射出された光を照射方向（所定方向）Ｄに向けて反射する。照射方向Ｄは、放電灯９０の光軸ＡＸと平行である。
【００３１】
放電灯９０は、放電灯本体５１０と、第１電極９２および第２電極９３と、を有する。
放電灯本体５１０の形状は、照射方向Ｄに沿って延びる棒状である。放電灯本体５１０の一方の端部、すなわち、放電灯９０の一方の端部を第１端部９０ｅ１とする。放電灯本体５１０の他方の端部、すなわち、放電灯９０の他方の端部を第２端部９０ｅ２とする。放電灯本体５１０の材料は、例えば、石英ガラス等の透光性材料である。放電灯本体５１０の中央部は球状に膨らんでおり、その内部は放電空間９１である。放電空間９１には、水銀、希ガス、金属ハロゲン化合物等を含む放電媒体であるガスが封入されている。
【００３２】
放電空間９１には、第１電極９２および第２電極９３の先端が突出している。第１電極９２は、放電空間９１の第１端部９０ｅ１側に配置されている。第２電極９３は、放電空間９１の第２端部９０ｅ２側に配置されている。第１電極９２および第２電極９３の形状は、光軸ＡＸに沿って延びる棒状である。放電空間９１には、第１電極９２および第２電極９３の電極先端部が、所定距離だけ離れて対向するように配置されている。第１電極９２および第２電極９３の材料は、例えば、タングステン等の金属である。
【００３３】
図３は、放電灯９０の部分を示す拡大断面図である。
第１電極９２は、図３に示すように、芯棒５３３と、コイル部５３２と、本体部５３１と、突起５３１ｐと、を有する。第１電極９２は、放電灯本体５１０への封入前の段階において、芯棒５３３に電極材（タングステン等）の線材を巻き付けてコイル部５３２を形成し、形成されたコイル部５３２を加熱・溶融することにより形成される。これにより、第１電極９２の先端側には、熱容量が大きい本体部５３１と、アークＡＲの発生位置となる突起５３１ｐが形成される。
【００３４】
第２電極９３は、芯棒５４３と、コイル部５４２と、本体部５４１と、突起５４１ｐと、を有する。第２電極９３は、第１電極９２と同様にして形成される。
なお、第１電極９２と第２電極９３とは、同様の構成であるため、以下の説明においては、代表して第１電極９２についてのみ説明する場合がある。また、第１電極９２の先端の突起５３１ｐと第２電極９３の先端の突起５４１ｐとは、同様の構成であるため、以下の説明においては、代表して突起５３１ｐについてのみ説明する場合がある。
【００３５】
図２に示すように、放電灯９０の第１端部９０ｅ１には、第１端子５３６が設けられている。第１端子５３６と第１電極９２とは、放電灯９０の内部を貫通する導電性部材５３４により電気的に接続されている。同様に、放電灯９０の第２端部９０ｅ２には、第２端子５４６が設けられている。第２端子５４６と第２電極９３とは、放電灯９０の内部を貫通する導電性部材５４４により電気的に接続されている。第１端子５３６および第２端子５４６の材料は、例えば、タングステン等の金属である。導電性部材５３４，５４４の材料としては、例えば、モリブデン箔が利用される。
【００３６】
第１端子５３６および第２端子５４６は、放電灯点灯装置１０に接続されている。放電灯点灯装置１０は、第１端子５３６および第２端子５４６に、放電灯９０を駆動するための駆動電力を供給する。その結果、第１電極９２および第２電極９３の間でアーク放電が起きる。アーク放電により発生した光（放電光）は、破線の矢印で示すように、放電位置から全方向に向かって放射される。
【００３７】
図３に示すように、放電灯９０を点灯すると、放電空間９１内に封入されたガスは、アークＡＲの発生により加熱され、放電空間９１内において対流する。詳細には、アークＡＲおよびその付近の領域は極めて高温となるため、放電空間９１内において、アークＡＲから鉛直方向上側に流れる対流ＡＦ（図３に一点鎖線の矢印で示す）が形成される。対流ＡＦは、放電灯本体５１０の内壁に当たって放電灯本体５１０の内壁に沿って移動し、第１電極９２および第２電極９３の芯棒５３３，５４３等を通過することによって冷却されつつ降下する。
【００３８】
降下した対流ＡＦは、放電灯本体５１０の内壁に沿って更に降下するが、アークＡＲの鉛直方向下側で互いに衝突して上方のアークＡＲに戻されるように上昇する。対流ＡＦが、放電灯本体５１０の内壁を沿って移動することによって、放電灯本体５１０は加熱される。
【００３９】
主反射鏡１１２は、図２に示すように、固定部材１１４により、放電灯９０の第１端部９０ｅ１に固定されている。主反射鏡１１２は、放電光のうち、照射方向Ｄと反対側に向かって進む光を照射方向Ｄに向かって反射する。主反射鏡１１２の反射面（放電灯９０側の面）の形状は、放電光を照射方向Ｄに向かって反射できる範囲内において、特に限定されず、例えば、回転楕円形状であっても、回転放物線形状であってもよい。例えば、主反射鏡１１２の反射面の形状を回転放物線形状とした場合、主反射鏡１１２は、放電光を光軸ＡＸに略平行な光に変換することができる。これにより、平行化レンズ３０５を省略することができる。
【００４０】
副反射鏡１１３は、固定部材５２２により、放電灯９０の第２端部９０ｅ２側に固定されている。副反射鏡１１３の反射面（放電灯９０側の面）の形状は、放電空間９１の第２端部９０ｅ２側の部分を囲む球面形状である。副反射鏡１１３は、放電光のうち、主反射鏡１１２が配置された側と反対側に向かって進む光を主反射鏡１１２に向かって反射する。これにより、放電空間９１から放射される光の利用効率を高めることができる。
【００４１】
固定部材１１４，５２２の材料は、放電灯９０からの発熱に耐え得る耐熱材料である範囲内において、特に限定されず、例えば、無機接着剤である。
【００４２】
（放電灯点灯装置）
図４は、放電灯点灯装置１０および制御装置４０の回路構成の一例を示す図である。
放電灯点灯装置１０は、図４に示すように、電力制御回路２０と、極性反転回路３０と、動作検出部６０と、イグナイター回路７０と、を有する。
【００４３】
電力制御回路２０は、放電灯９０に供給する駆動電力を生成する。本実施形態においては、電力制御回路２０は、直流電源装置８０からの電圧を入力とし、入力電圧を降圧して直流電流Ｉｄを出力するダウンチョッパー回路で構成されている。
【００４４】
電力制御回路２０は、スイッチ素子２１、ダイオード２２、コイル２３およびコンデンサー２４を含んで構成される。スイッチ素子２１は、例えば、トランジスターで構成される。本実施形態においては、スイッチ素子２１の一端は直流電源装置８０の正電圧側に接続され、他端はダイオード２２のカソード端子およびコイル２３の一端に接続されている。
【００４５】
コイル２３の他端にコンデンサー２４の一端が接続され、コンデンサー２４の他端はダイオード２２のアノード端子および直流電源装置８０の負電圧側に接続されている。スイッチ素子２１の制御端子には、制御装置４０から電流制御信号が入力されてスイッチ素子２１のＯＮ／ＯＦＦが制御される。電流制御信号には、例えば、ＰＷＭ（Pulse Width Modulation）制御信号が用いられてもよい。
【００４６】
スイッチ素子２１がＯＮすると、コイル２３に電流が流れ、コイル２３にエネルギーが蓄えられる。その後、スイッチ素子２１がＯＦＦすると、コイル２３に蓄えられたエネルギーがコンデンサー２４とダイオード２２とを通る経路で放出される。その結果、スイッチ素子２１がＯＮする時間の割合に応じた直流電流Ｉｄが発生する。
【００４７】
極性反転回路３０は、電力制御回路２０から入力される直流電流Ｉｄを所定のタイミングで極性反転させる。これにより、極性反転回路３０は、制御された時間だけ継続する直流である駆動電流Ｉ、もしくは、任意の周波数を持つ交流である駆動電流Ｉを生成し、出力する。本実施形態において、極性反転回路３０は、インバーターブリッジ回路（フルブリッジ回路）で構成されている。
【００４８】
極性反転回路３０は、例えば、トランジスターなどで構成される第１のスイッチ素子３１、第２のスイッチ素子３２、第３のスイッチ素子３３、および第４のスイッチ素子３４を含んでいる。極性反転回路３０は、直列接続された第１のスイッチ素子３１および第２のスイッチ素子３２と、直列接続された第３のスイッチ素子３３および第４のスイッチ素子３４と、が互いに並列接続された構成を有する。第１のスイッチ素子３１、第２のスイッチ素子３２、第３のスイッチ素子３３、および第４のスイッチ素子３４の制御端子には、それぞれ制御装置４０から極性反転制御信号が入力される。この極性反転制御信号に基づいて、第１のスイッチ素子３１、第２のスイッチ素子３２、第３のスイッチ素子３３および第４のスイッチ素子３４のＯＮ／ＯＦＦ動作が制御される。
【００４９】
極性反転回路３０においては、第１のスイッチ素子３１および第４のスイッチ素子３４と、第２のスイッチ素子３２および第３のスイッチ素子３３と、を交互にＯＮ／ＯＦＦさせる動作が繰り返される。これにより、電力制御回路２０から出力される直流電流Ｉｄの極性が交互に反転する。極性反転回路３０は、第１のスイッチ素子３１と第２のスイッチ素子３２との共通接続点、および第３のスイッチ素子３３と第４のスイッチ素子３４との共通接続点から、制御された時間だけ同一極性状態を継続する直流である駆動電流Ｉ、もしくは制御された周波数をもつ交流である駆動電流Ｉを生成し、出力する。
【００５０】
すなわち、極性反転回路３０は、第１のスイッチ素子３１および第４のスイッチ素子３４がＯＮのときには第２のスイッチ素子３２および第３のスイッチ素子３３がＯＦＦであり、第１のスイッチ素子３１および第４のスイッチ素子３４がＯＦＦのときには第２のスイッチ素子３２および第３のスイッチ素子３３がＯＮであるように制御される。したがって、第１のスイッチ素子３１および第４のスイッチ素子３４がＯＮのときには、コンデンサー２４の一端から第１のスイッチ素子３１、放電灯９０、第４のスイッチ素子３４の順に流れる駆動電流Ｉが発生する。第２のスイッチ素子３２および第３のスイッチ素子３３がＯＮのときには、コンデンサー２４の一端から第３のスイッチ素子３３、放電灯９０、第２のスイッチ素子３２の順に流れる駆動電流Ｉが発生する。
【００５１】
本実施形態において、電力制御回路２０と極性反転回路３０とを合わせた部分が放電灯駆動部２３０に対応する。すなわち、放電灯駆動部２３０は、放電灯９０を駆動する駆動電流Ｉを放電灯９０に供給する。
【００５２】
動作検出部６０は、放電灯９０のランプ電圧を検出して制御装置４０にランプ電圧情報を出力する電圧検出部を含む。また、動作検出部６０は、駆動電流Ｉを検出して制御装置４０に駆動電流情報を出力する電流検出部などを含む。本実施形態においては、動作検出部６０は、第１の抵抗６１、第２の抵抗６２および第３の抵抗６３を含んで構成されている。
【００５３】
本実施形態において、動作検出部６０の電圧検出部は、放電灯９０と並列に、互いに直列接続された第１の抵抗６１および第２の抵抗６２で分圧した電圧によりランプ電圧を検出する。また、本実施形態において、電流検出部は、放電灯９０に直列に接続された第３の抵抗６３に発生する電圧により駆動電流Ｉを検出する。
【００５４】
イグナイター回路７０は、放電灯９０の点灯開始時にのみ動作する。イグナイター回路７０は、放電灯９０の点灯開始時に放電灯９０の電極間（第１電極９２と第２電極９３との間）を絶縁破壊して放電路を形成するために必要な高電圧（放電灯９０の通常点灯時よりも高い電圧）を、放電灯９０の電極間（第１電極９２と第２電極９３との間）に供給する。本実施形態においては、イグナイター回路７０は、放電灯９０と並列に接続されている。
【００５５】
（制御装置）
制御装置４０は、プロジェクター５００の動作開始から動作停止に至るまでの各種の動作を制御する。制御装置４０は、駆動電流Ｉの駆動電流波形に従って放電灯駆動部２３０を制御する。図４の例では、制御装置４０は、電力制御回路２０および極性反転回路３０を制御することにより、駆動電流Ｉが同一極性を継続する保持時間、駆動電流Ｉの電流値、周波数等のパラメーターを制御する。制御装置４０は、極性反転回路３０に対して、駆動電流Ｉの極性反転タイミングにより、駆動電流Ｉが同一極性で継続する保持時間、駆動電流Ｉの周波数等を制御する極性反転制御を行う。制御装置４０は、電力制御回路２０に対して、出力される直流電流Ｉｄの電流値を制御する電流制御を行う。
【００５６】
制御装置４０は、放電灯駆動部２３０を制御して、入力受付部４５がプロジェクター５００の動作停止操作、すなわち放電灯９０の消灯操作を受け付けた場合に、駆動電流Ｉにおいて放電灯９０に交流電流が供給される期間を後述する定常点灯期間（第１交流期間）ＰＨ１から加熱期間（第２交流期間）ＰＨ２１へと移行させる。詳細については、後述する。
【００５７】
また、本実施形態において制御装置４０は、冷却装置５０を制御する。制御装置４０は、後述する加熱期間ＰＨ２１において、定常ファン電圧（第１出力）よりも大きいファン電圧（第２出力）で冷却装置５０を駆動する。詳細については、後述する。
【００５８】
制御装置４０の構成は、特に限定されない。本実施形態においては、制御装置４０は、システムコントローラー４１、電力制御回路コントローラー４２、および極性反転回路コントローラー４３を含んで構成されている。なお、制御装置４０は、その一部または全てを半導体集積回路で構成してもよい。
【００５９】
システムコントローラー４１は、電力制御回路コントローラー４２および極性反転回路コントローラー４３を制御することにより、電力制御回路２０および極性反転回路３０を制御する。システムコントローラー４１は、動作検出部６０が検出したランプ電圧および駆動電流Ｉに基づき、電力制御回路コントローラー４２および極性反転回路コントローラー４３を制御してもよい。
【００６０】
本実施形態においては、システムコントローラー４１には、記憶部４４が接続されている。
システムコントローラー４１は、記憶部４４に格納された情報に基づき、電力制御回路２０および極性反転回路３０を制御してもよい。記憶部４４には、例えば、駆動電流Ｉが同一極性で継続する保持時間、駆動電流Ｉの電流値、周波数、波形、変調パターン等の駆動パラメーターに関する情報が格納されていてもよい。
【００６１】
電力制御回路コントローラー４２は、システムコントローラー４１からの制御信号に基づき、電力制御回路２０へ電流制御信号を出力することにより、電力制御回路２０を制御する。
【００６２】
極性反転回路コントローラー４３は、システムコントローラー４１からの制御信号に基づき、極性反転回路３０へ極性反転制御信号を出力することにより、極性反転回路３０を制御する。
【００６３】
制御装置４０は、専用回路を用いて実現され、上述した制御や後述する処理の各種制御を行うようにすることができる。これに対して、制御装置４０は、例えば、記憶部４４に記憶された制御プログラムを実行することによりコンピューターとして機能し、これらの処理の各種制御を行うようにすることもできる。
【００６４】
図５は、制御装置４０の他の構成例について説明するための図である。図５に示すように、制御装置４０は、制御プログラムにより、電力制御回路２０を制御する電流制御手段４０−１、極性反転回路３０を制御する極性反転制御手段４０−２として機能するように構成されてもよい。
【００６５】
（入力受付部）
図１に示す入力受付部４５は、使用者による所定の操作を受け付ける部分である。入力受付部４５は、例えば、プロジェクター５００の電源のＯＮ／ＯＦＦ、点灯モードの変更等の使用者による操作を受け付ける。本実施形態において入力受付部４５は、制御装置４０に接続されている。使用者の操作を受け付けた場合、入力受付部４５は、制御装置４０に、操作に応じた操作信号を出力する。
【００６６】
入力受付部４５が操作を受け付ける方法は、特に限定されない。入力受付部４５は、例えば、プロジェクター５００の筐体に取り付けられた各種ボタンが押されることによって操作を受け付けてもよいし、プロジェクター５００のリモートコントローラーから送られる信号によって操作を受け付けてもよい。
【００６７】
本実施形態においては、プロジェクター５００の電源をＯＦＦにする操作、すなわち、動作停止操作は、第１停止操作と、第２停止操作と、を含む。言い換えると、本実施形態において使用者は、第１停止操作と、第２停止操作と、を行うことによって、プロジェクター５００の電源をＯＦＦにすることができる。一例として、使用者は、プロジェクター５００の筐体に取り付けられた電源ボタンを２回押すことにより、プロジェクター５００の電源をＯＦＦにすることができる。
【００６８】
入力受付部４５が第１停止操作を受け付けると、制御装置４０は、プロジェクター５００の電源をＯＦＦにすることの要否を確認する確認動作を実行する。言い換えると、制御装置４０は、入力受付部４５が第１停止操作を受け付けた場合に、放電灯９０への駆動電流Ｉの供給停止の要否を確認する確認動作を実行する。
【００６９】
確認動作としては、特に限定されず、使用者に対してプロジェクター５００の動作停止を確認する動作であれば、いかなる方法を用いてもよい。確認動作としては、例えば、プロジェクター５００の動作停止を確認する映像をスクリーン７００に表示する方法を選択できる。また、確認動作としては、例えば、プロジェクター５００の動作停止を確認する音声を流す方法を選択できる。
【００７０】
第２停止操作は、第１停止操作よりも時間的に後に行われる操作である。使用者は、第１停止操作を行った後、確認動作に対してプロジェクター５００の動作停止の実行を決定した場合に、第２停止操作を行う。入力受付部４５が第２停止操作を受け付けると、制御装置４０は、放電灯９０への駆動電流Ｉの供給を停止するように放電灯駆動部２３０を制御する。これにより、プロジェクター５００の電源がＯＦＦになる。
入力受付部４５は、第１停止操作と第２停止操作とを同様の方法により受け付けてもよいし、異なる方法で受け付けてもよい。
【００７１】
（冷却装置）
冷却装置５０は、例えば、ファンにより構成されている。冷却装置５０のファンは、例えば、シロッコファンで構成されている。冷却装置５０のファンは、プロジェクター５００の筐体内の冷却空気を吸引して、光源ユニット２１０に送風する。冷却装置５０は、光源ユニット２１０の放電灯９０と、光源ユニット２１０の主反射鏡１１２と、を冷却可能である。
【００７２】
本実施形態において冷却装置５０は、例えば、放電灯９０と主反射鏡１１２とに送風可能な１つのファンを有する構成であってもよいし、放電灯９０に送風可能なファンと、主反射鏡１１２に送風可能なファンと、をそれぞれ含む構成であってもよい。
【００７３】
以下、プロジェクター５００の回路構成について説明する。
図６は、本実施形態のプロジェクター５００の回路構成の一例を示す図である。プロジェクター５００は、図１に示した構成の他、図６に示すように、画像信号変換部５０１と、直流電源装置８０と、液晶パネル５６０Ｒ，５６０Ｇ，５６０Ｂと、画像処理装置５７０と、を備える。
【００７４】
画像信号変換部５０１は、外部から入力された画像信号５０２（輝度−色差信号やアナログＲＧＢ信号など）を所定のワード長のデジタルＲＧＢ信号に変換して画像信号５１２Ｒ，５１２Ｇ，５１２Ｂを生成し、画像処理装置５７０に供給する。
【００７５】
画像処理装置５７０は、３つの画像信号５１２Ｒ，５１２Ｇ，５１２Ｂに対してそれぞれ画像処理を行う。画像処理装置５７０は、液晶パネル５６０Ｒ，５６０Ｇ，５６０Ｂをそれぞれ駆動するための駆動信号５７２Ｒ，５７２Ｇ，５７２Ｂを液晶パネル５６０Ｒ，５６０Ｇ，５６０Ｂに供給する。
【００７６】
直流電源装置８０は、外部の交流電源６００から供給される交流電圧を一定の直流電圧に変換する。直流電源装置８０は、トランス（図示しないが、直流電源装置８０に含まれる）の２次側にある画像信号変換部５０１、画像処理装置５７０およびトランスの１次側にある放電灯点灯装置１０に直流電圧を供給する。
【００７７】
放電灯点灯装置１０は、起動時に放電灯９０の電極間に高電圧を発生し、絶縁破壊を生じさせて放電路を形成する。以後、放電灯点灯装置１０は、放電灯９０が放電を維持するための駆動電流Ｉを供給する。
【００７８】
液晶パネル５６０Ｒ，５６０Ｇ，５６０Ｂは、前述した液晶ライトバルブ３３０Ｒ，３３０Ｇ，３３０Ｂにそれぞれ設けられている。液晶パネル５６０Ｒ，５６０Ｇ，５６０Ｂは、それぞれ駆動信号５７２Ｒ，５７２Ｇ，５７２Ｂに基づいて、前述した光学系を介して各液晶パネル５６０Ｒ，５６０Ｇ，５６０Ｂに入射される色光の透過率（輝度）を変調する。
【００７９】
以下、駆動電流Ｉの極性と電極の温度との関係について説明する。
図７（Ａ）〜図７（Ｄ）は、放電灯９０に供給する駆動電流Ｉの極性と電極の温度との関係を示す説明図である。図７（Ａ）および図７（Ｂ）は、第１電極９２及び第２電極９３の動作状態を示している。
【００８０】
図７（Ａ），（Ｂ）には、第１電極９２および第２電極９３の先端部分が示されている。第１電極９２と第２電極９３の間で生じる放電は、主として突起５３１ｐと突起５４１ｐとの間で生じる。本実施形態のように突起５３１ｐ，５４１ｐがある場合には、突起が無い場合と比べて、第１電極９２および第２電極９３における放電位置（アーク位置）の移動を抑えることができる。
【００８１】
図７（Ａ）は、第１電極９２が陽極として動作し、第２電極９３が陰極として動作する第１極性状態を示している。第１極性状態では、放電により、第２電極９３（陰極）から第１電極９２（陽極）へ電子が移動する。陰極（第２電極９３）からは電子が放出される。陰極（第２電極９３）から放出された電子は陽極（第１電極９２）の先端（突起５３１ｐ）に衝突する。この衝突によって熱が生じ、陽極、すなわち、第１電極９２の温度が上昇する。
【００８２】
図７（Ｂ）は、第１電極９２が陰極として動作し、第２電極９３が陽極として動作する第２極性状態を示している。第２極性状態では、第１極性状態とは逆に、第１電極９２から第２電極９３へ電子が移動する。その結果、第２電極９３の温度が上昇する。
【００８３】
このように、放電灯９０に駆動電流Ｉが供給されることで、電子が衝突する陽極の温度は上昇する。一方、電子を放出する陰極の温度は、陽極に向けて電子を放出している間、低下する。
【００８４】
第１電極９２と第２電極９３との電極間距離Ｌは、突起５３１ｐと突起５４１ｐとの間の距離である。放電灯９０の駆動時において突起５３１ｐは、第１電極９２の温度の上昇・低下に伴って、溶融と成長とを繰り返している。突起５４１ｐについても同様である。電極間距離Ｌは、突起５３１ｐ，５４１ｐが溶融されると大きくなり、成長すると小さくなる。
【００８５】
図７（Ｃ）は、放電灯９０に供給される駆動電流Ｉの一例を示すタイミングチャートである。図７（Ｃ）において横軸は時間Ｔを示し、縦軸は駆動電流Ｉの電流値を示している。駆動電流Ｉは、放電灯９０を流れる電流を示す。正値は第１極性状態を示し、負値は第２極性状態を示す。図７（Ｃ）においては、定常点灯期間ＰＨ１における駆動電流Ｉを示している。
【００８６】
本実施形態においては、図７（Ｃ）に示すように、駆動電流Ｉとして矩形波交流電流が利用されている。定常点灯期間ＰＨ１においては、第１極性状態となる第１極性期間Ｐ１と、第２極性状態となる第２極性期間Ｐ２とが交互に繰り返されるように、駆動電流Ｉが放電灯９０に供給される。
【００８７】
図７（Ｃ）に示す例では、第１極性期間Ｐ１の平均電流値はＩｍ１であり、第２極性期間Ｐ２の平均電流値は−Ｉｍ１である。放電灯９０の駆動に適した駆動電流Ｉの駆動周波数は、放電灯９０の特性に合わせて実験的に決定することができる。
【００８８】
図７（Ｄ）は、第１電極９２の温度変化を示すタイミングチャートである。横軸は時間Ｔを示し、縦軸は温度Ｈを示している。第１極性期間Ｐ１では、第１電極９２の温度Ｈが上昇し、第２極性期間Ｐ２では、第１電極９２の温度Ｈが低下する。第１極性期間Ｐ１と第２極性期間Ｐ２とが繰り返されるので、温度Ｈは最小値Ｈｍｉｎと最大値Ｈｍａｘとの間で周期的に変化する。図示は省略するが、第２電極９３の温度は、第１電極９２の温度Ｈとは逆位相で変化する。すなわち、第１極性期間Ｐ１では、第２電極９３の温度が低下し、第２極性期間Ｐ２では、第２電極９３の温度が上昇する。
【００８９】
次に、制御装置４０による冷却装置５０の制御について説明する。
冷却装置５０は、定常出力モードと、高出力モードと、を実行可能である。冷却装置５０の出力モードは、制御装置４０によって制御される。
定常出力モードは、定常ファン電圧（第１出力）が冷却装置５０のファンに印加される出力モードである。定常ファン電圧は、放電灯９０の温度を適正温度に維持するために設定されるファン電圧であり、駆動電力に応じて設定される。本実施形態において定常ファン電圧は、例えば、駆動電力に比例するように設定される。
【００９０】
なお、本明細書において、ファン電圧（定常ファン電圧）が駆動電力に比例するとは、ファン電圧が厳密に駆動電力に比例する場合のみを意味するものではなく、例えば、０．９倍以上、１．１倍以下程度の誤差は許容されるものとする。
【００９１】
高出力モードは、駆動電力に対して定常ファン電圧（第１出力）よりも大きいファン電圧（第２出力）が冷却装置５０のファンに印加される出力モードである。すなわち、本実施形態において第２出力は、駆動電力で放電灯９０が駆動される際に、放電灯９０の温度を適正温度よりも低下させるファン電圧である。
【００９２】
本実施形態において制御装置４０は、定常点灯期間ＰＨ１において、定常出力モードで冷却装置５０を駆動する。本実施形態において制御装置４０は、加熱期間ＰＨ２１の少なくとも一部の期間において、高出力モードで冷却装置５０を駆動する。
【００９３】
例えば、冷却装置５０が、放電灯９０に送風可能なファンと、主反射鏡１１２に送風可能なファンと、をそれぞれ有する構成である場合には、放電灯９０に送風可能なファンと、主反射鏡１１２に送風可能なファンと、のいずれか一方のみを高出力モードで実行してもよい。
【００９４】
次に、本実施形態における放電灯９０へ供給される駆動電流Ｉについて説明する。
図８は、本実施形態の駆動電流波形ＤＷ１の一例を示す図である。図８においては、入力受付部４５が動作停止操作を受け付ける前後の駆動電流波形ＤＷ１を示している。
【００９５】
駆動電流波形ＤＷ１（駆動電流Ｉ）は、図８に示すように、放電灯９０に交流電流が供給される定常点灯期間ＰＨ１および加熱期間ＰＨ２１を有する。本実施形態において駆動電流波形ＤＷ１は、入力受付部４５が第１停止操作を受け付けた場合に、定常点灯期間ＰＨ１から加熱期間ＰＨ２１へと移行する。
定常点灯期間ＰＨ１は、上述したように、第１極性期間Ｐ１と第２極性期間Ｐ２とを交互に含む。
【００９６】
本実施形態において加熱期間ＰＨ２１は、入力受付部４５が第１停止操作を受け付けてから、第２停止操作を受け付けるまでの間の全体に設けられている。すなわち、本実施形態において加熱期間ＰＨ２１の長さｔ１は、使用者が第１停止操作を行ってから、第２停止操作を行うまでの時間に相当する。
【００９７】
加熱期間ＰＨ２１は、第１極性状態となる第１極性期間Ｐ１１と、第２極性状態となる第２極性期間Ｐ２１と、を交互に含む。すなわち、加熱期間ＰＨ２１においては、放電灯９０に交流電流が供給される。
【００９８】
本実施形態において第１極性期間Ｐ１１の駆動電流Ｉの値は、例えば、Ｉｍ１である。すなわち、第１極性期間Ｐ１１の駆動電流Ｉの値は、例えば、定常点灯期間ＰＨ１における第１極性期間Ｐ１の駆動電流Ｉの値と同じである。
【００９９】
第２極性期間Ｐ２１の駆動電流Ｉの値は、例えば、−Ｉｍ２である。−Ｉｍ２の絶対値は、−Ｉｍ１の絶対値よりも大きい。すなわち、加熱期間ＰＨ２１における第２極性期間Ｐ２１の駆動電流Ｉの絶対値は、定常点灯期間ＰＨ１における第２極性期間Ｐ２の駆動電流Ｉの絶対値よりも大きい。
【０１００】
一例として、加熱期間ＰＨ２１における第２極性期間Ｐ２１の駆動電流Ｉの絶対値は、放電灯９０に定格電力が供給されたときの駆動電流Ｉの絶対値の０．８倍以上、１．２５倍以下である。言い換えると、加熱期間ＰＨ２１における第２極性期間Ｐ２１の駆動電力は、定格電力の０．８倍以上、１．２５倍以下である。第２極性期間Ｐ２１の駆動電流Ｉの絶対値をこのようにすることで、第２電極９３の温度を適切に上昇させつつ、第２電極９３が損耗することを抑制できる。
【０１０１】
図８に示す例では、加熱期間ＰＨ２１における駆動電流Ｉの周波数は、定常点灯期間ＰＨ１における周波数と同じである。定常点灯期間ＰＨ１の第１極性期間Ｐ１の長さｔｐと、加熱期間ＰＨ２１の第１極性期間Ｐ１１の長さｔｐ１とは、同じである。定常点灯期間ＰＨ１の第２極性期間Ｐ２の長さｔｎと、加熱期間ＰＨ２１の第２極性期間Ｐ２１の長さｔｎ１とは、同じである。
以上の駆動電流波形ＤＷ１に従って、制御装置４０は放電灯駆動部２３０を制御する。
【０１０２】
上記説明した実施形態は、プロジェクターの制御方法として表現することもできる。すなわち、本実施形態のプロジェクターの制御方法は、光を射出する放電灯９０と、放電灯９０から射出された光を照射方向Ｄへ反射する主反射鏡１１２と、所定の操作を受け付ける入力受付部４５と、を備えるプロジェクターの制御方法であって、放電灯９０は、内部に放電空間９１を有する放電灯本体５１０と、放電空間９１に突出する第１電極９２および第２電極９３と、を有し、主反射鏡１１２は、放電灯本体５１０の第１端部９０ｅ１に取り付けられ、第１電極９２は、第１端部９０ｅ１側に配置され、第２電極９３は、第１端部９０ｅ１と反対の放電灯本体５１０の第２端部９０ｅ２側に配置され、放電灯９０に駆動電流Ｉとして交流電流が供給される定常点灯期間ＰＨ１および加熱期間ＰＨ２１を有し、定常点灯期間ＰＨ１および加熱期間ＰＨ２１は、第１電極９２が陽極となる第１極性期間Ｐ１，Ｐ１１と、第２電極９３が陽極となる第２極性期間Ｐ２，Ｐ２１と、を交互に含み、入力受付部４５がプロジェクターの動作停止操作を受け付けた場合に、放電灯９０に交流電流が供給される期間を定常点灯期間ＰＨ１から加熱期間ＰＨ２１に移行させることと、加熱期間ＰＨ２１における第２極性期間Ｐ２１の駆動電流Ｉの絶対値を、定常点灯期間ＰＨ１における第２極性期間Ｐ２の駆動電流Ｉの絶対値よりも大きくすることと、を含むことを特徴とする。
【０１０３】
本実施形態によれば、水銀ブリッジを抑制でき、かつ、利便性が低下することを抑制できる構成を有するプロジェクターが得られる。以下、詳細に説明する。
【０１０４】
まず、水銀ブリッジについて説明する。
図１１および図１２は、水銀ブリッジを説明するための説明図である。図１１は、放電灯９０を消灯した後、比較的時間が経過していない状態を示している。図１２は、放電灯９０を消灯した後、ある程度時間が経過し、水銀ブリッジが生じた状態を示している。
【０１０５】
図１１に示すように、放電灯９０を消灯すると、第１電極９２および第２電極９３の温度と、放電灯本体５１０の温度と、が低下する。そのため、放電空間９１に封入されている水銀Ｈｇのガスが、凝縮する。放電灯本体５１０の温度は、第１電極９２および第２電極９３の温度よりも低いため、水銀Ｈｇは、放電灯本体５１０の内壁に凝縮する。水銀Ｈｇは、放電灯本体５１０の内壁のうち、第１電極９２が突出する側の端部と、第２電極９３が突出する側の端部と、において特に凝縮しやすい。これは、放電灯本体５１０の内壁の第１電極９２が突出する側の端部と、放電灯本体５１０の内壁の第２電極９３が突出する側の端部とは、アーク放電が生じる箇所から距離が離れており、放電灯本体５１０の内壁の他の部分に比べて温度が低くなりやすいためである。
【０１０６】
図１２に示すように、放電灯９０を消灯してからある程度時間が経過すると、水銀Ｈｇの一部が再び気化する。これは、水銀Ｈｇが凝縮することで、放電空間９１内の圧力が低下し、水銀Ｈｇの沸点が低下するためである。
【０１０７】
ここで、放電灯９０の第１端部９０ｅ１側には主反射鏡１１２が取り付けられている。主反射鏡１１２は、熱容量が比較的大きいため、温度が保持されやすい。これにより、主反射鏡１１２の熱が第１端部９０ｅ１に伝わり、放電灯本体５１０の第１端部９０ｅ１側の温度は、放電灯本体５１０の第２端部９０ｅ２側の温度よりも低下しにくい。したがって、放電灯本体５１０の内壁の第１端部９０ｅ１側の温度が、水銀Ｈｇの沸点よりも大きくなりやすく、放電灯本体５１０の内壁の第１端部９０ｅ１側に凝縮した水銀Ｈｇが気化しやすい。
【０１０８】
気化した水銀Ｈｇは、放電空間９１内における水銀Ｈｇの沸点よりも温度が低い箇所において、再び凝縮する。第１電極９２および第２電極９３は、放電灯本体５１０に比べて温度が低下しやすい。そのため、第１電極９２の温度および第２電極９３の温度は、放電灯９０の消灯後、ある程度時間が経過すると、放電灯本体５１０の温度よりも低くなる。このとき、第１電極９２は、第１端部９０ｅ１側に設けられているため、主反射鏡１１２によって温度が保持されやすい。すなわち、第１電極９２の温度は、第２電極９３の温度よりも低下しにくい。したがって、第２電極９３の温度は、第１電極９２よりも先に、放電灯本体５１０の温度よりも低く、かつ、水銀Ｈｇの沸点よりも低くなりやすい。
【０１０９】
図９は、第２電極９３の温度変化および放電灯本体５１０の温度変化を示すグラフである。図９において横軸は時間Ｔを示し、縦軸は温度Ｈを示している。図９において実線は、本実施形態の第２電極９３の温度Ｈｐ１を示している。図９において破線は、比較例の第２電極９３の温度Ｈｐ２を示している。図９において一点鎖線は、放電灯本体５１０の温度Ｈｌａを示している。
【０１１０】
なお、比較例とは、入力受付部４５がプロジェクター５００の動作停止操作を受け付けた場合、放電灯９０に交流電流が供給される期間が定常点灯期間ＰＨ１から加熱期間ＰＨ２１に移行することなく、放電灯９０が消灯される場合である。
また、放電灯本体５１０の温度Ｈｌａとは、放電灯本体５１０の内壁において、最も温度が低くなる部分の温度である。
【０１１１】
図９に示すように、放電灯９０が消灯された時点においては、放電灯本体５１０の温度Ｈｌａは、Ｈ３であり、比較例の第２電極９３の温度Ｈｐ２は、Ｈ３よりも大きいＨ４である。温度Ｈｌａと温度Ｈｐ２とは、時間の経過に伴って徐々に低下する。時刻Ｔ１において、温度Ｈｌａと温度Ｈｐ２とは、同じ値Ｈ２となる。時刻Ｔ１を超えると、放電灯本体５１０の温度Ｈｌａと比較例の第２電極９３の温度Ｈｐ２との関係は逆転する。すなわち、放電灯本体５１０の温度Ｈｌａよりも、比較例の第２電極９３の温度Ｈｐ２の方が低くなる。
【０１１２】
比較例の第２電極９３の温度Ｈｐ２が放電灯本体５１０の温度Ｈｌａよりも低くなった場合において、第２電極９３の温度Ｈｐ２が水銀Ｈｇの沸点よりも低い場合、気化した水銀Ｈｇは、第２電極９３に凝縮しやすい。水銀Ｈｇは、第２電極９３の突起５４１ｐにおいて、特に凝縮しやすい。これにより、図１２に示すように、第１電極９２と第２電極９３とが、凝縮した水銀Ｈｇによって接続される水銀ブリッジが生じる場合があった。
【０１１３】
これに対して、本実施形態においては、駆動電流波形ＤＷ１が加熱期間ＰＨ２１を有する。加熱期間ＰＨ２１においては、第２極性期間Ｐ２１の駆動電流Ｉの絶対値が、定常点灯期間ＰＨ１における第２極性期間Ｐ２の駆動電流Ｉの絶対値よりも大きい。そのため、加熱期間ＰＨ２１においては、定常点灯期間ＰＨ１に比べて、第２電極９３がより加熱され、第２電極９３の温度Ｈｐ１が大きくなる。これにより、図９に示すように、放電灯９０が消灯された時点において、第２電極９３の温度Ｈｐ１の値は、比較例の第２電極９３の温度Ｈｐ２よりも大きいＨ５となる。
【０１１４】
本実施形態の第２電極９３の温度Ｈｐ１は、時間の経過とともに低下し、時刻Ｔ２において、放電灯本体５１０の温度Ｈｌａと同じ値（Ｈ１）となる。放電灯９０が消灯された時点において、第２電極９３の温度Ｈｐ１の値は、比較例の第２電極９３の温度Ｈｐ２よりも大きいため、時刻Ｔ２は、時刻Ｔ１よりも後の時刻である。すなわち、第２電極９３の温度Ｈｐ１と放電灯本体５１０の温度Ｈｌａとの関係が逆転する交差点Ｃ２となるまでの時間は、第２電極９３の温度Ｈｐ２と放電灯本体５１０の温度Ｈｌａとの関係が逆転する交差点Ｃ１となるまでの時間よりも、長い。
【０１１５】
したがって、交差点Ｃ２になる前、すなわち、第２電極９３の温度Ｈｐ１が放電灯本体５１０の温度Ｈｌａよりも低くなる前に、放電灯本体５１０の温度Ｈｌａが水銀Ｈｇの沸点よりも低くなりやすい。その結果、本実施形態によれば、気化した水銀Ｈｇが放電灯本体５１０の内壁において凝縮しやすく、第２電極９３に水銀Ｈｇが凝縮することを抑制できる。
【０１１６】
また、第２電極９３の温度Ｈｐ１は、加熱期間ＰＨ２１において、比較的短い時間で上昇する。そのため、使用者が動作停止操作を行ってから、プロジェクター５００を動作させた状態のまま維持する期間を短くできる。これにより、本実施形態によれば、プロジェクター５００の利便性が低下することを抑制できる。
【０１１７】
以上により、本実施形態によれば、水銀ブリッジを抑制でき、かつ、利便性が低下することを抑制できる構成を有するプロジェクターが得られる。
【０１１８】
また、定常点灯期間ＰＨ１における駆動電力が、定格電力よりも小さい場合、すなわち低電力モードで放電灯９０が駆動される場合、冷却装置５０による放電灯９０の冷却度合が低くなる。そのため、放電灯９０が消灯された時点の放電灯本体５１０の温度Ｈｌａが高くなりやすい。これにより、放電灯９０の消灯後、第２電極９３の温度Ｈｐ１が放電灯本体５１０の温度Ｈｌａより低くなるまでの時間が短くなりやすい。
【０１１９】
また、低電力モードにおいては、第１電極９２および第２電極９３が成長しやすく、電極間距離Ｌが小さくなりやすい。そのため、凝縮した水銀Ｈｇによって、第１電極９２と第２電極９３とが接続されやすい。
【０１２０】
以上のことから、定常点灯期間ＰＨ１において放電灯９０が低電力モードで駆動される場合は、放電灯９０が定格電力で駆動される場合に比べて、水銀ブリッジが発生しやすい。したがって、本実施形態は、定常点灯期間ＰＨ１において放電灯９０が低電力モードで駆動される場合に、特に効果が大きい。
【０１２１】
また、プロジェクター５００の周囲の温度が高温である場合、放電灯９０の消灯後に、放電灯本体５１０の温度が低下しにくくなる。そのため、第２電極９３の温度Ｈｐ１が放電灯本体５１０の温度Ｈｌａより小さくなるまでに要する時間が長くなる。これにより、プロジェクター５００の周囲の温度が高温である程、水銀ブリッジが生じやすい。したがって、本実施形態は、プロジェクター５００の周囲の温度が高温となる場合に、特に効果が大きい。
【０１２２】
また、本実施形態によれば、加熱期間ＰＨ２１において第２電極９３が加熱されるため、第２電極９３の先端の突起５４１ｐの溶融する量が増加する。これにより、第１電極９２と第２電極９３との電極間距離Ｌが大きくなる。したがって、第２電極９３の突起５４１ｐに水銀Ｈｇが凝縮した場合であっても、第１電極９２と第２電極９３とが接続されることを抑制できる。すなわち、本実施形態によれば、水銀ブリッジの発生をより抑制できる。
【０１２３】
また、本実施形態によれば、加熱期間ＰＨ２１は、第１停止操作と第２停止操作との間に設けられている。そのため、使用者が第２停止操作を行った後、放電灯９０が点灯した状態を維持することなく、プロジェクター５００の動作を停止することができる。したがって、本実施形態によれば、プロジェクター５００の利便性を向上できる。
【０１２４】
また、本実施形態によれば、入力受付部４５が第１停止操作を受け付けた場合に、プロジェクター５００の電源をＯＦＦにすることの要否、すなわち放電灯９０の消灯の要否を確認する確認動作が実行される。そのため、使用者が誤ってプロジェクターの電源をＯＦＦにすることが抑制される。
【０１２５】
また、本実施形態によれば、入力受付部４５が第２停止操作を受け付けた場合に、放電灯９０への駆動電流Ｉの供給が停止される。そのため、使用者が第２停止操作を行った直後にプロジェクター５００の電源をＯＦＦにできる。
【０１２６】
また、本実施形態によれば、加熱期間ＰＨ２１の少なくとも一部において、冷却装置５０が高出力モードで駆動される。そのため、放電灯９０、すなわち、放電灯本体５１０の温度Ｈｌａと主反射鏡１１２の温度との両方、またはいずれか一方を適正温度よりも低下できる。
【０１２７】
加熱期間ＰＨ２１において放電灯本体５１０の温度Ｈｌａが低下した場合、放電灯９０を消灯した時点における放電灯本体５１０の温度Ｈｌａが低くなる。これにより、放電灯９０が消灯された後、第２電極９３の温度Ｈｐ１が放電灯本体５１０の温度Ｈｌａよりも低くなるまでの時間をより長くできる。したがって、本実施形態によれば、水銀ブリッジの発生をより抑制できる。
【０１２８】
また、加熱期間ＰＨ２１において主反射鏡１１２の温度が低下した場合、放電灯９０の第１端部９０ｅ１の温度が保持されにくくなる。これにより、放電灯本体５１０の内壁における第１端部９０ｅ１側の温度が低くなりやすく、水銀Ｈｇの沸点よりも高くなることが抑制される。したがって、本実施形態によれば、第１端部９０ｅ１側の水銀Ｈｇが再び気化することを抑制でき、結果として水銀ブリッジの発生をより抑制できる。
【０１２９】
なお、本実施形態においては、以下の構成および方法を採用することができる。
【０１３０】
本実施形態においては、加熱期間ＰＨ２１が、第１停止操作から第２停止操作までの間の一部の期間に設けられてもよい。その場合においては、加熱期間ＰＨ２１の長さｔ１は、適宜設定される。加熱期間ＰＨ２１の長さｔ１は、例えば、５．０ｍｓ（ミリ秒）以上、１０ｓ（秒）以下に設定される。加熱期間ＰＨ２１の長さｔ１をこのように設定することで、第２電極９３を適切に加熱でき、かつ、第２電極９３を溶融させ過ぎることを抑制できる。
【０１３１】
加熱期間ＰＨ２１の長さｔ１が所定の長さに設定される場合には、加熱期間ＰＨ２１が終了する前に、入力受付部４５が第２停止操作を受け付ける場合がある。この場合、使用者が第２停止操作を行った後から加熱期間ＰＨ２１が終わるまでの間、放電灯９０は点灯された状態となる。しかし、その場合であっても、本実施形態によれば、加熱期間ＰＨ２１を短くできるため、プロジェクター５００の利便性が低下することを抑制できる。
【０１３２】
また、上記説明においては、使用者は第１停止操作と第２停止操作との２回動作停止操作を行うことでプロジェクター５００の電源をＯＦＦにできる構成としたが、これに限られない。本実施形態においては、１回の動作停止操作によってプロジェクター５００の電源をＯＦＦにできる構成としてもよい。この場合においては、入力受付部４５が動作停止操作を受け付けた後において、加熱期間ＰＨ２１が終了した後に放電灯９０が消灯される。
【０１３３】
また、本実施形態においては、冷却装置５０は、加熱期間ＰＨ２１において定常出力モードで駆動されてもよい。
また、本実施形態においては、冷却装置５０は、放電灯９０のみを冷却する構成であってもよい。
【０１３４】
また、本実施形態においては、加熱期間ＰＨ２１における駆動電流Ｉの周波数は、定常点灯期間ＰＨ１における駆動電流Ｉの周波数よりも大きくてもよい。すなわち、加熱期間ＰＨ２１における第１極性期間Ｐ１２の長さｔｐ１は、定常点灯期間ＰＨ１における第１極性期間Ｐ１の長さｔｐよりも小さくてもよい。加熱期間ＰＨ２１における第２極性期間Ｐ２１の長さｔｎ１は、定常点灯期間ＰＨ１における第２極性期間Ｐ２の長さｔｎよりも小さくてもよい。このように設定することで、第２電極９３の突起５４１ｐが急激に溶融されて変形することを抑制でき、加熱期間ＰＨ２１において、第２電極９３の温度Ｈｐ１を安定的に、より大きくできる。
【０１３５】
また、本実施形態においては、加熱期間ＰＨ２１における第１極性期間Ｐ１１の駆動電流Ｉの絶対値は、定常点灯期間ＰＨ１における第１極性期間Ｐ１の駆動電流Ｉの絶対値よりも大きい構成としてもよい。この構成によれば、加熱期間ＰＨ２１において第１電極９２をより溶融することができるため、電極間距離Ｌをより大きくできる。これにより、水銀ブリッジの発生をより抑制できる。
【０１３６】
また、加熱期間ＰＨ２１の第１極性期間Ｐ１１および第２極性期間Ｐ２１において、放電灯９０に供給される駆動電力を同じに設定できる。そのため、加熱期間ＰＨ２１において、放電灯９０に供給される駆動電力を変更する手間がなく、簡便である。また、加熱期間ＰＨ２１において、駆動電力が変更されないため、放電灯９０のちらつきが生じることを抑制できる。
【０１３７】
また、本実施形態においては、例えば、プロジェクター５００の回路構成にキャパシターまたはバッテリーを組み込み、加熱期間ＰＨ２１においては、キャパシターまたはバッテリーから放電灯９０に駆動電流Ｉが供給される構成としてもよい。この構成によれば、例えば、プロジェクター５００に電源を供給するコンセントを直接引き抜く等によって、プロジェクター５００の電源をＯＦＦにする方法を採用する場合であっても、加熱期間ＰＨ２１を設けることができる。この場合、コンセントを直接引き抜くことが、動作停止操作に相当する。入力受付部４５は、主電源の供給が停止されたことを検知することで、動作停止操作を受け付ける。
【０１３８】
また、上記説明においては、加熱期間ＰＨ２１における第２極性期間Ｐ２１の駆動電流Ｉの値は、−Ｉｍ２で一定としたが、これに限られない。本実施形態においては、定常点灯期間ＰＨ１における第２極性期間Ｐ２の駆動電流Ｉの絶対値より大きい範囲内で、加熱期間ＰＨ２１における第２極性期間Ｐ２１の駆動電流Ｉの絶対値は変化してもよい。
【０１３９】
また、本実施形態においては、複数の加熱期間ＰＨ２１が設けられていてもよい。この場合、動作停止操作を受け付けた後に、加熱期間ＰＨ２１と定常点灯期間ＰＨ１とが交互に繰り返される。この構成によれば、第２電極９３の温度Ｈｐ１を適切に上昇させつつ、第２電極９３の突起５４１ｐが損耗することを抑制できる。
【０１４０】
＜第２実施形態＞
第２実施形態は、第１実施形態に対して、駆動電流波形が異なる。
なお、以下の説明においては、第１形態と同様の構成については、適宜同一の符号を付す等により説明を省略する場合がある。
【０１４１】
図１０は、本実施形態の駆動電流波形ＤＷ２の一例を示す図である。図１０においては、入力受付部４５が動作停止操作を受け付ける前後の駆動電流波形ＤＷ２を示している。
駆動電流波形ＤＷ２（駆動電流Ｉ）は、図１０に示すように、定常点灯期間ＰＨ１および加熱期間（第２交流期間）ＰＨ２２を有する。本実施形態において駆動電流波形ＤＷ２は、入力受付部４５が第１停止操作を受け付けた場合に、定常点灯期間ＰＨ１から加熱期間ＰＨ２２へと移行する。
【０１４２】
加熱期間ＰＨ２２は、第１極性状態となる第１極性期間Ｐ１２と、第２極性状態となる第２極性期間Ｐ２１と、を交互に含む。
【０１４３】
本実施形態において第１極性期間Ｐ１２の駆動電流Ｉの値は、例えば、Ｉｍ３である。Ｉｍ３の絶対値は、Ｉｍ１の絶対値よりも小さい。すなわち、加熱期間ＰＨ２２における第１極性期間Ｐ１２の駆動電流Ｉの絶対値は、定常点灯期間ＰＨ１における第１極性期間Ｐ１の駆動電流Ｉの絶対値よりも小さい。
【０１４４】
本実施形態においては、例えば、Ｉｍ１の絶対値とＩｍ３の絶対値との差は、−Ｉｍ２の絶対値と−Ｉｍ１の絶対値との差と同じである。すなわち、第１極性期間Ｐ１の駆動電力に対する第１極性期間Ｐ１２の駆動電力の減少量は、第２極性期間Ｐ２の駆動電力に対する第２極性期間Ｐ２１の駆動電力の増加量と同じである。これにより、加熱期間ＰＨ２２において放電灯９０に供給される駆動電力の平均値は、定常点灯期間ＰＨ１において放電灯９０に供給される駆動電力の値と同じである。
【０１４５】
第１極性期間Ｐ１２の長さｔｐ２は、第１実施形態の第１極性期間Ｐ１１の長さｔｐ１と同様に設定できる。
加熱期間ＰＨ２２の長さｔ２は、第１実施形態の加熱期間ＰＨ２１の長さｔ１と同様に設定できる。
上記説明した点以外の構成は、第１実施形態の構成と同様である。
【０１４６】
本実施形態によれば、加熱期間ＰＨ２２における第１極性期間Ｐ１２の駆動電流Ｉの絶対値が、定常点灯期間ＰＨ１における第１極性期間Ｐ１の駆動電流Ｉの絶対値よりも小さい。そのため、加熱期間ＰＨ２２における平均駆動電力の値を、定常点灯期間ＰＨ１における駆動電力の値に近づけることができる。これにより、放電灯９０に交流電流が供給される期間が定常点灯期間ＰＨ１から加熱期間ＰＨ２２に移行した際に、放電灯９０のちらつきが生じることを抑制できる。
【０１４７】
また、本実施形態によれば、加熱期間ＰＨ２２において放電灯９０に供給される駆動電力の平均値が、定常点灯期間ＰＨ１において放電灯９０に供給される駆動電力の値と同じである。そのため、放電灯９０に交流電流が供給される期間が定常点灯期間ＰＨ１から加熱期間ＰＨ２２に移行した際に、放電灯９０のちらつきが生じることをより抑制できる。
【０１４８】
なお、本実施形態においては、以下の構成および方法を採用することもできる。
【０１４９】
本実施形態においては、Ｉｍ１の絶対値とＩｍ３の絶対値との差が、−Ｉｍ２の絶対値と−Ｉｍ１の絶対値との差と異なっていてもよい。すなわち、加熱期間ＰＨ２２において放電灯９０に供給される駆動電力の平均値が、定常点灯期間ＰＨ１において放電灯９０に供給される駆動電力の値と異なっていてもよい。
【０１５０】
また、本実施形態においては、加熱期間ＰＨ２２における第１極性期間Ｐ１２の駆動電流Ｉの値は、変化してもよい。
【０１５１】
なお、上記の実施形態において、透過型のプロジェクターに本発明を適用した場合の例について説明したが、本発明は、反射型のプロジェクターにも適用することも可能である。ここで、「透過型」とは、液晶パネル等を含む液晶ライトバルブが光を透過するタイプであることを意味する。「反射型」とは、液晶ライトバルブが光を反射するタイプであることを意味する。なお、光変調装置は、液晶パネル等に限られず、例えばマイクロミラーを用いた光変調装置であってもよい。
【０１５２】
また、上記の実施形態において、３つの液晶パネル５６０Ｒ，５６０Ｇ，５６０Ｂ（液晶ライトバルブ３３０Ｒ，３３０Ｇ，３３０Ｂ）を用いたプロジェクター５００の例を挙げたが、本発明は、１つの液晶パネルのみを用いたプロジェクター、４つ以上の液晶パネルを用いたプロジェクターにも適用可能である。
【０１５３】
また、上記説明した第１実施形態および第２実施形態の各構成は、相互に矛盾しない範囲内において、適宜組み合わせることができる。
【符号の説明】
【０１５４】
４０…制御装置（制御部）、４５…入力受付部、５０…冷却装置（冷却部）、９０…放電灯、９０ｅ１…第１端部、９０ｅ２…第２端部、９１…放電空間、９２…第１電極、９３…第２電極、１１２…主反射鏡（反射鏡）、２３０…放電灯駆動部、３３０Ｒ，３３０Ｇ，３３０Ｂ…液晶ライトバルブ（光変調装置）、３５０…投射光学系（投射光学装置）、５００…プロジェクター、５０２，５１２Ｒ，５１２Ｇ，５１２Ｂ…画像信号、５１０…放電灯本体、Ｄ…照射方向（所定方向）、Ｉ…駆動電流、Ｐ１，Ｐ１１，Ｐ１２…第１極性期間、Ｐ２，Ｐ２１…第２極性期間、ＰＨ１…定常点灯期間（第１交流期間）、ＰＨ２１，ＰＨ２２…加熱期間（第２交流期間）
【図１】
0006421650.tif 000002
【図２】
0006421650.tif 000003
【図３】
0006421650.tif 000004
【図４】
0006421650.tif 000005
【図５】
0006421650.tif 000006
【図６】
0006421650.tif 000007
【図７】
0006421650.tif 000008
【図８】
0006421650.tif 000009
【図９】
0006421650.tif 000010
【図１０】
0006421650.tif 000011
【図１１】
0006421650.tif 000012
【図１２】
0006421650.tif 000013